(57)【特許請求の範囲】
【請求項１】
土台となる方塊体に固定される定着部と、該定着部に形成されて太陽電池パネルを支持するパネル支持部を備え、前記定着部が前記パネル支持部を支えて前記方塊体の上面に接する上側片と、該上側片より下方で前記上側片と対向して前記方塊体に面接触する下側片と、該下側片と前記上側片を一体化する連結片を有した太陽電池パネル支持金具であって、
前記定着部と対向し、前記方塊体の上面に接する上側片と、該上側片より下方で前記上側片と対向して前記方塊体に面接触する下側片と、該下側片と前記上側片を一体化する連結片を有するとともに、直接又は間接に前記定着部と結合一体化される対向部材を備え、
前記パネル支持部が前記方塊体における前記定着部と前記対向部材の対向方向の中間部に対応する位置に形成された
太陽電池パネル支持金具。
【請求項２】
前記定着部の連結片または前記対向部材の連結片の少なくともいずれか一方が、前記方塊体の側面に当接する当接面部を有する
請求項１に記載の太陽電池パネル支持金具。
【請求項３】
前記パネル支持部が、前記太陽電池パネルに係止される係止部を有し、
前記係止部が、前記太陽電池パネルの枠体の裏面で内周方向に突出する突片を支える受け片と、該受け片より上で前記突片を挟む挟持片を有し、
前記係止部と対になり前記枠体の側面に当接して前記係止部による係止状態を保持する挟持部が備えられた
請求項１または請求項２に記載の太陽電池パネル支持金具。
【請求項４】
前記挟持部が前記対向部材に一体形成された
請求項３に記載の太陽電池パネル支持金具。
【請求項５】
前記方塊体が、側面に開口する空洞を備えたコンクリートブロックであり、
前記定着部の下側片または前記対向部材の下側片の少なくともいずれか一方が、前記空洞の天井面に接するものである
請求項１から請求項４のうちいずれか一項に記載の太陽電池パネル支持金具。
【請求項６】
土台となる方塊体に固定される定着部と、該定着部に形成されて太陽電池パネルを支持するパネル支持部を備え、前記定着部が前記パネル支持部を支えて前記方塊体の上面に接する上側片と、該上側片より下方で前記上側片と対向して前記方塊体に面接触する下側片と、該下側片と前記上側片を一体化する連結片を有した太陽電池パネル支持金具を備える太陽電池パネルの架台構造であって、
前記太陽電池パネル支持金具が、前記定着部と対向し、前記方塊体の上面に接する上側片と、該上側片より下方で前記上側片と対向して前記方塊体に面接触する下側片と、該下側片と前記上側片を一体化する連結片を有するとともに、直接又は間接に前記定着部と結合一体化される対向部材を備え、
前記太陽電池パネル支持金具が、前記太陽電池パネルの周縁部に前記太陽電池パネルの傾きと傾いた前記太陽電池パネルに対する位置とに応じて前記パネル支持部の高さを違えて複数配設されるとともに、
前記パネル支持部が前記方塊体における前記定着部と前記対向部材の対向方向の中間部に設定された
太陽電池パネルの架台構造。
【発明の詳細な説明】
【技術分野】
【０００１】
この発明は、たとえば屋上や陸屋根、地面などの場所に太陽電池パネルを簡易に設置するための技術に関し、より詳しくは、強風にも耐え得る強固な設置が行えるような太陽電池パネル支持金具に関する。
【背景技術】
【０００２】
太陽電池パネルを簡易に設置する支持金具として、出願人は下記特許文献１のものを案出した。
【０００３】
この支持金具は、太陽電池パネルを支持するパネル支持部と、このパネル支持部を有する定着部を備え、定着部が、対になる上側荷重受け部および下側荷重受け部と、これらを連結する連結一体化部を有した構成である。土台としての重量物からなる方塊体に対して定着部を横から差し込むだけで支持金具を方塊体に固定できるため、簡易に設置が行える。
【０００４】
しかし、コ字状をなす定着部は方塊体の一方側のみに嵌るものであるため、図１７に示したように、支持している太陽電池パネル１０１が強風であおられてパネル支持部１０２に上へ引っ張られる力が作用した場合に、方塊体１０３における定着部１０４が嵌合している側と反対側の下端１０５が支点となり、方塊体１０３に傾く力が作用するおそれがある。つまり、方塊体１０３の重量を有効に利用できずに持ち上がりやすい状態になる。
【先行技術文献】
【特許文献】
【０００５】
【特許文献１】特許第５７８６０８３号公報
【発明の概要】
【発明が解決しようとする課題】
【０００６】
そこでこの発明は、簡易に設置できる構成でありながらも、強固な設置が行えるようにすることを主な目的とする。
【課題を解決するための手段】
【０００７】
そのための手段は、土台となる方塊体に固定される定着部と、該定着部に形成されて太陽電池パネルを支持するパネル支持部を備え、前記定着部が前記パネル支持部を支えて前記方塊体の上面に接する上側片と、該上側片より下方で前記上側片と対向して前記方塊体に面接触する下側片と、該下側片と前記上側片を一体化する連結片を有した太陽電池パネル支持金具であって、前記定着部と対向し、前記方塊体の上面に接する上側片と、該上側片より下方で前記上側片と対向して前記方塊体に面接触する下側片と、該下側片と前記上側片を一体化する連結片を有するとともに、直接又は間接に前記定着部と結合一体化される対向部材を備え、前記パネル支持部が前記方塊体における前記定着部と前記対向部材の対向方向の中間部に対応する位置に形成された太陽電池パネル支持金具である。
【０００８】
この構成では、設置面に置かれる方塊体に定着部と対向部材を固定し、定着部に形成されたパネル支持部に太陽電池パネルを支持する。方塊体と太陽電池支持金具の固定、および太陽電池支持金具と太陽電池パネルの固定は、いずれを先に行ってもよい。方塊体に対する定着部と対向部材の固定は、上側片と下側片が方塊体の全部または一部を挟むように差し込んで行う。差し込みにより上側片と下側片は方塊体に面接触し、定着部と対向部材を結合一体化することにより、方塊体に対する定着部の固定状態が強固に保持される。上側片と下側片を連結する連結片は、両者の間隔を規制するとともに、上側片と下側片の間で一方にかかる荷重を他方に伝達し分散する。方塊体に固定された太陽電池パネル支持金具のパネル支持部は、方塊体における定着部と対向部材の対向方向の中間部に位置するので、パネル支持部に上方への負荷がかかった場合に、方塊体が傾いて持ち上がりやすくなることを抑制し、方塊体の重量を発揮させる。
【発明の効果】
【０００９】
この発明によれば、方塊体に太陽電池支持金具の固定は差し込んで行えるので簡易に設置できる構成でありながらも、方塊体の重さを最大限有効に利用するので強風にあおられても耐え得る強固な設置状態とすることが可能である。
【図面の簡単な説明】
【００１０】
【図１】太陽電池パネルの設置状態の斜視図。
【図２】太陽電池パネルの設置状態の断面図。
【図３】太陽電池パネル支持金具の分解斜視図。
【図４】太陽電池パネル支持金具の分解斜視図。
【図５】他の例に係る太陽電池パネル支持金具の固定状態の断面図。
【図６】他の例に係る太陽電池パネル支持金具の固定状態の断面図。
【図７】太陽電池パネルの設置状態におけるパネル間部分の傾斜方向側面図。
【図８】太陽電池パネルの設置状態の斜視図。
【図９】太陽電池パネルの設置状態の斜視図。
【図１０】太陽電池パネルの設置状態の平面図。
【図１１】図１０に示した太陽電池パネルの設置状態の断面図。
【図１２】太陽電池パネルの設置状態の平面図。
【図１３】図１２におけるパネル間部分の拡大断面図。
【図１４】他の例に係る太陽電池パネル支持金具の分解斜視図。
【図１５】他の例に係る太陽電池パネル支持金具の分解斜視図。
【図１６】他の例に係る太陽電池パネル支持金具の分解斜視図。
【図１７】従来技術の説明図。
【発明を実施するための形態】
【００１１】
この発明を実施するための一形態を、以下図面を用いて説明する。  
図１に、太陽電池パネル１１の設置状態を示す。この図に示すように太陽電池パネル１１の架台構造は、重量物である土台としての複数の方塊体２１と、これら方塊体２１にそれぞれ固定される太陽電池パネル支持金具３１（以下、「支持金具」という）で構成されている。この架台構造は、屋上や陸屋根、地面などの水平または略水平な面に接地されるのに適している。
【００１２】
太陽電池パネル１１は公知の構造で、表面から強化ガラス（図示せず）、太陽電池セル（図示せず）、パックシート（図示せず）などを備えた方形板状の太陽電池モジュール１２を、図２に示したように枠体としての方形枠状のアルミフレーム１３で保持して構成されている。アルミフレーム１３の裏面は断面Ｌ字状に形成され、太陽電池モジュール１２を浮かせる脚片１４と、脚片１４の下端から内周方向に突出する突片１５を有している。脚片１４はアルミフレーム１３の全周にわたって同一幅に形成されている。同様に、突片１５もアルミフレーム１３の全周にわたって同一幅に形成されている。
【００１３】
方塊体２１は、たとえば縁石ブロックなどのようなコンクリート二次製品で構成されるが、加工の手間が不要で入手しやすいなどの点から建築用の空洞コンクリートブロックが好適に用いられる。空洞コンクリートブロックは、上面２２と下面（底面）２２が所定大の長方形をなす方塊状で、所定厚さの厚み方向の中間部に、上面２２と下面２３の短手方向に沿って複数本の貫通した空洞２４を有する形状である。つまり上面２２と下面２３の長手側の平らな側面に空洞が開口している。空洞コンクリートブロックには、厚さ（側面の高さ）や、上面２２又は下面２３と空洞２４を形成する面との間の厚さなど、寸法が異なる複数種類のものが存在するが、いずれのものでも使用可能である。
【００１４】
支持金具３１は、対をなす本体部材３２と対向部材３３を備えており、本体部材３２に、方塊体２１に固定される定着部３４と、この定着部３４に形成されて太陽電池パネル１１を支持するパネル支持部３５を備えている。長方形の太陽電池パネル１１は四辺のうちの一つの辺を下にして傾けて設置され、方塊体２１と支持金具３１は太陽電池パネル１１の周縁部の複数個所で傾斜状態の太陽電池パネル１１を支えるので、支持金具３１のパネル支持部３５の高さは、太陽電池パネル１１の傾きと傾いた太陽電池パネル１１に対する位置とに応じて相違する。
【００１５】
図１、図２に示した例では、太陽電池パネル１１を横長にして、一方の長辺を下げ、他方の長辺を上げて傾斜させ、下になった長辺と上になった長辺をそれぞれ２個ずつの方塊体２１と支持金具３１で支えているので、パネル支持部３５の高さが異なる二種類の支持金具３１が使用される。
【００１６】
パネル支持部３５の高さが低い支持金具３１ａを図３に、パネル支持部３５の高さがそれよりも高い支持金具３１ｂを図４に示している。これらの図に示すように、支持金具３１は前述の定着部３４とパネル支持部３５を有する本体部材３２と、この本体部材３２に対向し結合一体化される対向部材３３で構成される。本体部材３２と対向部材３３は、一定幅の帯状をなす一枚の金属板をプレスして折り曲げて形成されるが、その他の形状の金属板をもとにして形成してもよい。
【００１７】
まず、本体部材３２について説明する。
【００１８】
本体部材の定着部３４は、パネル支持部３５を支えて方塊体２１の上面２２に接する上側片３４ａと、この上側片３４ａより下方で上側片３４ａと対向して方塊体２１に面接触する下側片３４ｂと、これら下側片３４ｂと上側片３４ａを一体化する連結片３４ｃを有している。下側片３４ｂは方塊体２１の空洞２４の天井面２４ａまたは方塊体２１の下面２３に面接触する。上側片３４ａと下側片３４ｂは、それぞれ方塊体２１に面接触して荷重を受ける。上側片３４ａと下側片３４ｂの長さは、固定状態の良好性の観点からは長い方が好ましい。たとえば方塊体２１の上面２２と下面２３の短手方向の長さの半分、換言すれば方塊体２１の空洞２４の長さの半分に対応する程度の長さであるとよい。特に上側片３４ａは、形成するパネル支持部３５が方塊体２１における定着部３４と対向部材３３の対向方向、つまり方塊体２１の短手方向の中間部に対応するように、方塊体２１の短手方向の長さの半分の長さに設定される。
【００１９】
連結片３４ｃは、上側片３４ａと下側片３４ｂの長手方向の一端に形成され、上側片３４ａと下側片３４ｂを挟む面の間の距離に対応する間隔を隔てて上側片３４ａと下側片３４ｂを離間保持している。つまり、連結片３４ｃは上側片３４ａが方塊体２１の上面２２に接した時に下側片３４ｂが方塊体２１の下面２３または空洞２４の天井面２４ａに面接触するように、方塊体２１の側面の高さ、または方塊体２１の上面２２から空洞２４を形成する面（天井面２４ａ）までの高さに対応する長さに、使用する方塊体２１のサイズや、所望の固定態様に応じて形成される。上側片３４ａと下側片３４ｂが水平または略水平であるのに対して連結片３４ｃは垂直または略垂直の平板状であり、内側面全体が方塊体２１の平らな側面に当接する当接面部３４ｄである。
【００２０】
定着部３４の幅は、固定状態の良好性の観点からは広い方が望ましいが、下側片３４ｂが方塊体２１の空洞２４の天井面２４ａに面接触できるようにするためには、天井面２４ａの幅と同じか、それよりも狭くする。
【００２１】
パネル支持部３５は、太陽電池パネル１１に係止される係止部３６を有する。図示例では、上側片３４ａにおける連結片３４ｃと反対側の端から垂直に立設された立設部３７の上端に係止部３６が形成されている。立設部３７には、１個以上の貫通穴３７ａが形成される。この貫通穴３７ａは、対向部材３３との結合一体化のためのボルト５１を通すための部分である。図示例では、ボルト５１の回り止めができるようにボルト５１には根角ボルトを使用し、貫通穴３７ａは角穴で構成している。ボルト５１はナット５２を螺合して使用される。
【００２２】
パネル支持部３５の高さの違いは、立設部３７の高さの違いや立設部３７の有無によって得られる。図示例では、高さの低いパネル支持部３５でも立設部３７を有しているが、立設部３７を省略して上側片３４ａから直接、係止部３６を形成することもできる。
【００２３】
係止部３６は、図２に示したように太陽電池パネル１１のアルミフレーム１３の裏面で内周方向に突出する突片１５を支える受け片３６ａと、この受け片３６ａより上で突片１５を挟む挟持片３６ｂを有する。受け片３６ａと挟持片３６ｂは突片１５の挟持に必要な隙間をあけて連結片３６ｃで一体化されており、係止する太陽電池パネル１１の傾斜に対応して、立設部３７に対し傾けて形成されている。
【００２４】
係止部３６は突片１５に係止するものであるため、係止部３６は、太陽電池パネル１１の内側から係止する。つまり、傾斜下側の支持金具３１ａにおけるパネル支持部３５の係止部３６は傾斜上方から、傾斜上側の支持金具３１ｂにおけるパネル支持部３５の係止部３６は傾斜下方から係止する。このため、傾斜下側の支持金具３１ａと傾斜上側の支持金具３１ｂでは、設置時における本体部材３２と対向部材３３の向きが異なる。
【００２５】
係止部３６には、軟質の合成樹脂やゴムなどの介在部材（図示せず）を備えて、突片１５の厚みのばらつきを吸収したり、振動を緩和したり、接触抵抗を高めたりしてもよい。
【００２６】
このような定着部３４とパネル支持部３５を有する本体部材３２は、幅方向の両側に一部を折り返してなるリブ（図示せず）を立てたり、幅方向の適宜位置に外側に膨出するリブ（図示せず）を形成したりして、強度を高めてもよい。
【００２７】
つぎに、本体部材３２と対をなす対向部材３３について説明する。
【００２８】
対向部材３３は、本体部材３２の定着部３４と同じ構造の定着部３８と、本体部材３２のパネル支持部３５における係止部３６と対になりアルミフレーム１３の外側の側面に当接して係止部３６による係止状態を保持する挟持部３９を有する。
【００２９】
つまり、対向部材３３の定着部３８は、方塊体２１の上面に接する上側片３８ａと、この上側片３８ａより下方で上側片３８ａと対向して方塊体２１に面接触する下側片３８ｂと、これら下側片３８ｂと上側片３８ａを一体化する連結片３８ｃを有している。繰り返しになるので、これらの詳しい説明は省略する。
【００３０】
なお、連結片３４ｃ，３８ｃの当接面部３４ｄ，３８ｄは、本体部材３２の定着部３４の連結片３４ｃまたは対向部材３３の定着部３８の連結片３８ｃの一方のみに形成するものとしてもよく、定着部３４，３８の下側片３４ｂ，３８ｂが面接触する部位を本体部材３２の定着部３４と対向部材３３の定着部３８で違えて、本体部材３２の定着部３４の下側片３４ｂまたは対向部材３３の定着部３８の下側片３８ｂの少なくともいずれか一方が空洞２４の天井面２４ａに接するものとしてもよい。
【００３１】
挟持部３９は、上側片３８ａにおける連結片３８ｃと反対側の端から垂直に立設された立設部４０の上端に形成されている。このように挟持部３９は対向部材３３に一体形成されている。
【００３２】
立設部４０は本体部材３２の立設部３７に対応する高さの垂直にのびる平板状であり、１個以上の貫通穴４０ａが形成されている。この貫通穴４０ａは本体部材３２の立設部３７の貫通穴３７ａに対応して形成される。貫通穴４０ａ，３７ａは、前述のように結合一体化のためのもので、本体部材３２の貫通穴３７ａが定着部３４ではなく立設部３７に形成されているため、本体部材３２の定着部３４は対向部材３３と間接に結合一体化されることになる。たとえば、本体部材３２の定着部３４の下側片３４ｂと対向部材３３の定着部３８の下側片３８ｂ同士を方塊体２１部分で、たとえば空洞２４内や方塊体２１の側面部分で直接結合することで本体部材３２の定着部３４を対向部材３３と結合一体化してもよい。
【００３３】
挟持部３９は立設部４０に対して太陽電池パネル１１の傾きに対応させて傾斜した平板状である。挟持部３９の高さは、太陽電池パネル１１のアルミフレーム１３の外側の側面を本体部材３２の係止部３６に向けて押しつけることができればよいので、係止部３６と同じがそれより若干高い程度の高さでよい。
【００３４】
挟持部３９の上端には、図５、図６に示したように、アルミフレーム１３の上面を押さえる押さえ片４１を形成してもよい。
【００３５】
対向部材３３にも補強のためのリブ（図示せず）を形成するなどしてもよいことは、本体部材３２と同じである。
【００３６】
以上のように構成された支持金具３１は次のように使用して、方塊体２１と共に太陽電池パネル１１の架台構造を構成する。
【００３７】
まず、太陽電池パネル１１の設置位置に方塊体２１を並べる。方塊体２１は、設置場所の風の強さに応じて必要な重さのものを必要数使用する。すべての方塊体２１に支持金具３１の本体部材３２を固定する。固定に際しては、方塊体２１の位置に適した高さの支持金具３１を適所に固定する。図示例では、１個の方塊体２１に１個の支持金具３１を固定した例を示したが、１個の方塊体２１に対して複数の支持金具３１を固定してもよい。
【００３８】
方塊体２１に対する本体部材３２の固定は、本体部材３２の定着部３４を方塊体２１に対して横から差し込むように嵌めて行う。本体部材３２の定着部３４は方塊体２１に面接触する上側片３４ａと下側片３４ｂを有しているので、これらが方塊体２１を挟んだ状態になって固定がなされる。また上側片３４ａと下側片３４ｂを一体化する連結片３４ｃは内側面全体に当接面部３４ｄを有するので、当接面部３４ｄも方塊体２１に面接触して強固な固定状態が得られるうえに、連結片３４ｃが方塊体２１の側面よりも外側に大きく突出することも防止できる。
【００３９】
つぎに、本体部材３２の係止部３６に太陽電池パネル１１を係止する。この係止は、係止部３６と太陽電池パネル１１のアルミフレーム１３を相対移動して、突片１５を係止部３６の受け片３６ａと挟持片３６ｂで挟み付けるようにする。係止部３６は突片１５に対して深く食い込ませる。
【００４０】
続いて、支持金具３１の対向部材３３を方塊体２１と本体部材３２に固定する。対向部材３３の方塊体２１に対する固定は、定着部３８を方塊体２１の横から差し込むように行い、対向部材３３の立設部４０を本体部材３２の立設部３７に重ね合わせるようにする。対向部材３３の定着部３８も本体部材３２の定着部３４と同じ構造であるので、差し込むだけで方塊体２１に対する固定がなされるが、さらにボルト５１ナット５２を用いて、対向部材３３と本体部材３２の立設部４０，３７同士を結合する。ボルト５１は太陽電池パネル１１の内側方向、つまり本体部材３２側から差し込むと、容易に固定できる。
【００４１】
立設部３７，４０同士の固定により、対向部材３３の挟持部３９は、太陽電池パネル１１のアルミフレーム１３の外側の側面に面接触して、アルミフレーム１３を係止部３６に向けて押圧する。このため、定着部３４，３８の固定はもちろん、支持金具３１と太陽電池パネル１１の固定も強固になされる。
【００４２】
そのうえ、本体部材３２の定着部３４における上側片３４ａの長さは方塊体２１の短手方向の長さの半分の長さに設定されており、上側片３４ａに形成される係止部３６が方塊体２１における短手方向の中間部に設定されるので、係止部３６に対して上へ引っ張られる荷重が作用した場合でも、方塊体２１に偏った力が作用することはなく、方塊体２１の重量を最大限有効に作用させて引っ張りに対抗することができる。このため、方塊体２１が浮き上がりやすくなるようなことはなく、太陽電池パネル１１が風であおられても耐え得る強度の高い設置状態が得られる。
【００４３】
このような架台構造で支持された太陽電池パネル１１は、縦横に必要数並べられる。図７は、太陽電池パネル１１を傾斜方向で並べた状態の側面図である。この図に示すように方塊体２１同士が最も接近するように並べることで、太陽電池パネル１１は適宜の隙間を隔てて整列される。対向する部分の方塊体２１同士が対向方向で当たらないように、方塊体２１の位置をずらして、図７に仮想線で示したように方塊体同士が噛み合うようにして太陽電池パネル１１の同士の間の隙間を狭めて設置してもよい。
【００４４】
このように太陽電池パネル１１の辺のどこに対しても固定できるのは、太陽電池パネル１１に対する支持金具３１の固定に、ボルトなどの締結具を直接用いる必要がないからである。つまり、ボルト締結のために既存の穴を用いる必要はなく、アルミフレーム１３に新たに穴をあける必要もない。
【００４５】
このため、たとえば図８に示したように、傾斜下側と傾斜上側にそれぞれ３個ずつの方塊体２１と支持金具３１を備えた架台構造とすることもできる。
【００４６】
また図９に示したように、先の例では横長に設置した太陽電池パネル１１を縦長に設置することもできる。
【００４７】
さらに、図１０に示したように、太陽電池パネル１１における傾斜する辺に対しても方塊体２１と支持金具３１で支持することができる。
【００４８】
傾斜辺に固定する支持金具３１は、図１１に示したように、パネル支持部３５の係止部３６を傾斜辺の傾斜と高さに合わせて傾斜させている。その他の構成は前述と同様であるので、前述の構成と同一の部位について同一の符号を付してその詳しい説明は省略する。
【００４９】
太陽電池パネル１１の傾斜方向と直交する方向に並ぶ太陽電池パネル１１同士の間の隙間は、発電効率を考えると狭い方が好ましい。図１２は、その方向の隙間を必要最小限にした例を示す平面図である。隙間は、太陽電池パネル１１を吹き上げようとする風が通り抜ける間隔であればよく、たとえば数センチ程度でよい。
【００５０】
そのための支持金具３１は、図１３に示したように、本体部材３２または対向部材３３と、対向部材３３または本体部材３２と、補助部材４５を備える。
【００５１】
本体部材３２は、パネル支持部３５の係止部３６が傾斜しているだけで、そのほかは前述の構成と同様である。
【００５２】
対向部材３３は、前述と同じ構成の定着部３８の上側片３８ａの端から、本体部材３２のパネル支持部３５と同じ構成のパネル支持部３５ａを有している。
【００５３】
つまり、図１３に示した支持金具３１においては、本体部材３２と対向部材３３は互いに同じ構成である。
【００５４】
ただし、本体部材３２と対向部材３３の定着部３４，３８における上側片３４ａ，３８ａの長さは、補助部材４５を備える関係上、前述例の上側片３４ａ，３８ａよりも若干長さが短く設定されている。
【００５５】
補助部材４５は、本体部材３２と対向部材３３の間に介在され、これらと直接に結合一体化するものである。補助部材４５は、方塊体２１の上面２２に面接触する底板４６と、この底板４６の両側から上方に起立する２枚の起立板４７を有するもので、起立板４７の上端部は、本体部材３２または対向部材３３の係止部３６と対になりアルミフレーム１３の側面に当接して係止部３６による係止状態を保持する挟持部４７ａである。
【００５６】
本体部材３２と対向部材３３におけるパネル支持部３５，３５ａの立設部３７と補助部材４５の起立板４７の対向位置には貫通穴３７ａ，４７ｂが形成され、ボルト５１ナット５２により結合一体化される。補助部材４５の起立板４７間には、筒状のスペーサ４８が備えられる。スペーサ４８は溶接等で固定されるも別体であるもよい。
【００５７】
このような構成の支持金具３１においても、前述のように方塊体２１に対する支持金具３１の固定と、支持金具３１に対する太陽電池パネル１１の固定を行い、本体部材３２と対向部材３３と補助部材４５を一体化することによって、アルミフレーム１３の穴を利用することなく、太陽電池パネル１１の設置ができる。そして、前述と同様の作用効果を有する。
【００５８】
これらのように、太陽電池パネル１１に対する支持金具３１の位置や個数、ひいては方塊体２１の数まで自由に選択できる。このため、固定箇所と固定数を自由に選択でき、必要な重量とすることで、設置場所の風環境に応じて強度の高い設置状態を得ることができる。
【００５９】
また、設置に際して、アルミフレーム１３に穴をあける必要はないので、太陽電池パネルに欠損を生じさせなくてすむ。このため、補償等の面で不利益を招来しない。
【００６０】
加えて、パネル支持金具３１は太陽電池パネル１１のアルミフレーム１３の突片１５を挟んだうえで更に挟持部３９で突片１５を挟む方向とは異なる方向でアルミフレーム１３、具体的には少なくとも脚片１４を挟むので、たとえば方塊体２１が不測に移動したとしても、太陽電池パネル１１が外れることはない。このため高い安全性が得られる。
【００６１】
図１４、図１５は、他の例に係る支持金具３１を示す分解斜視図である。この支持金具３１は、挟持部３９を対向部材３３とは別体にした例を示している。
【００６２】
すなわち、本体部材３２は前述と同じ構成であるが、対向部材３３は、前述と同じ構成の定着部３８の上側片３８ａの端から起立片３８ｅを適宜長さ垂直に立てた構造である。この起立片３８ｅには、結合一体化のための貫通穴３８ｆが形成されている。
【００６３】
対向部材３３とは別の挟持部３９は、挟持部材４９に形成されている。挟持部材４９は、本体部材３２の立設部３７に重ね合わせて結合一体化される重合部４９ａの上に形成されている。重合部４９ａには、結合一体化のための貫通穴４９ｂが形成される。
【００６４】
ただし、傾斜下側に固定する支持金具３１ａでは、本体部材３２の立設部３７の高さが低いため、起立片３８ｅの貫通穴３８ｆと重合部４９ａの貫通穴４９ｂは、共に本体部材３２の立設部３７の貫通穴３７ａに対応するものである。
【００６５】
このように構成された支持金具３１では、太陽電池パネル１１の設置に際して、必要であれば、本体部材３２の係止部３６と挟持部材４９とによる太陽電池パネル１１に対する固定を先に行うことができる。傾斜下端側の支持金具３１ａでは、挟持部材４９を仮締めして保持する。本体部材３２の係止部３６と挟持部材４９とによる太陽電池パネル１１に対する固定のあとは、太陽電池パネル１１を反転し、方塊体２１に対して固定する。
【００６６】
このように施工の手順を変えることができるので、作業環境や人員等の状況に応じて、適切な施工方法を選択でき、作業効率の向上を図ることができる。
【００６７】
また、対向部材３３と挟持部材４９は、対向部材３３の起立片３８ｅの高さと、挟持部材４９の重合部４９ａの高さを調整すれば、これらを傾斜下側の支持金具３１ａと、傾斜上側の支持金具３１ｂで共通して用いることができる。この場合には、挟持部材４９を表裏反転して用いる。このため、必要な部材の種類を少なくしてコストの低減や取扱いの容易性などの利便性を得ることができる。
【００６８】
図１６は、結合のためのナット５２のあり方の他の例を示す斜視図である。この図に示すように、ナット５２はあらかじめ本体部材３２に固定しておいてもよい。たとえばナット５２を溶接で固定したり、ナット５２をクリンチナットで構成したりすることができる。ナット５２を用いずに、バーリングで穴をあけてその穴に雌ねじを形成してもよい。
【００６９】
このように構成すると、ボルトを螺合するだけで結合できるので、作業性を向上することができる。
【００７０】
また、ボルト５１ナット５２を用いずに、部分的にかしめ部を設ければ、その部分をかしめて結合一体化することも可能である。
【００７１】
以上の構成はこの発明を実施するための一形態であって、この発明は前述の構成のみに限定されるものではなく、その他の構成を採用することもできる。
【符号の説明】
【００７２】
１１…太陽電池パネル
１３…アルミフレーム
１５…突片
２１…方塊体
２２…上面
２４…空洞
２４ａ…天井面
３１…太陽電池パネル支持金具
３２…本体部材
３３…対向部材
３４，３８…定着部
３４ａ，３８ａ…上側片
３４ｂ，３８ｂ…下側片
３４ｃ，３８ｃ…連結片
３４ｄ，３８ｄ…当接面部
３５…パネル支持部
３６…係止部
３６ａ…受け片
３６ｂ…挟持片
３９，４７ａ…挟持部
【要約】
【課題】簡易に設置できる構成でありながらも、重量をいかして強固な設置状態が得られるようにする。
【解決手段】方塊体２１に固定される定着部３４と太陽電池パネル１１を支持するパネル支持部３５を備え、定着部３４がパネル支持部３５を支えて方塊体２１の上面２２に接する上側片３４ａと、上側片３４ａより下方で上側片３４ａと対向して方塊体２１に面接触する下側片３４ｂと、下側片３４ｂと上側片３４ａをつなぐ連結片３４ｃを有した太陽電池パネル支持金具３１において、定着部３４と対向し、方塊体２１を上下に挟む上側片３８ａ及び下側片３８ｂと、下側片３８ｂと上側片３８ａをつなぐ連結片３８ｃを有するとともに、直接又は間接に定着部３４と結合一体化される対向部材３３を備え、パネル支持部３５を、方塊体２１における定着部３４と対向部材３３の対向方向の中間部に対応する位置に形成する。
【選択図】図２【図１】
0005987130.tif 000002
【図２】
0005987130.tif 000003
【図３】
0005987130.tif 000004
【図４】
0005987130.tif 000005
【図５】
0005987130.tif 000006
【図６】
0005987130.tif 000007
【図７】
0005987130.tif 000008
【図８】
0005987130.tif 000009
【図９】
0005987130.tif 000010
【図１０】
0005987130.tif 000011
【図１１】
0005987130.tif 000012
【図１２】
0005987130.tif 000013
【図１３】
0005987130.tif 000014
【図１４】
0005987130.tif 000015
【図１５】
0005987130.tif 000016
【図１６】
0005987130.tif 000017
【図１７】
0005987130.tif 000018